【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
取付対象部材と、
複数の電線と、前記複数の電線を分けて保持し、前記電線に対して前記取付対象部材とは反対側に位置する天井壁を有する複数の電線保持部と、を含み、前記取付対象部材に取付けられた配線部材と、
を備え、
前記配線部材は、それぞれが前記電線保持部を少なくとも１つ含むように別に成形された電線保持部材を複数備え、
前記電線保持部材は、前記電線保持部と一体に形成されて前記電線保持部材同士を並列状に連結する連結部をさらに含み、
複数の前記電線保持部材は相互に分かれた状態から前記連結部によって連結された状態となることが可能である、配線部材の支持構造。
【請求項２】
請求項１に記載の配線部材の支持構造であって、
相互に連結された第１及び第２の前記電線保持部材は、少なくとも平坦に並ぶ状態と、前記取付対象部材の外周に沿って並ぶ状態との間で回転可能である、配線部材の支持構造。
【請求項３】
請求項２に記載の配線部材の支持構造であって、
前記天井壁は外面が平坦な平板状である、配線部材の支持構造。
【請求項４】
請求項２又は請求項３に記載の配線部材の支持構造であって、
第１の前記電線保持部材は、前記連結部として軸部を含み、第２の前記電線保持部材は、前記連結部として前記軸部を回転可能に支持する軸受部を含む、配線部材の支持構造。
【請求項５】
請求項２又は請求項３に記載の配線部材の支持構造であって、
第１及び第２の前記電線保持部材の少なくとも一方は、前記連結部と前記電線保持部との間に介在するように前記連結部と前記電線保持部と一体に形成され、前記連結部と前記電線保持部とを回転可能につなぐヒンジ部をさらに含む、配線部材の支持構造。
【請求項６】
請求項２又は請求項３に記載の配線部材の支持構造であって、
第１の前記電線保持部材は、前記連結部として孔部が形成された被係止部を含み、第２の前記電線保持部材は、前記連結部として前記孔部に通された柱部と前記孔部の周縁部に係止する係止片とを有する係止部を含み、前記孔部が前記柱部よりも大きく形成されて第１及び第２の前記電線保持部材が回転可能に連結している、配線部材の支持構造。
【請求項７】
請求項２から請求項６のいずれか１項に記載の配線部材の支持構造であって、
第１及び第２の前記電線保持部材同士の回転量を規制する回転量規制部が設けられている、配線部材の支持構造。
【請求項８】
請求項１から請求項７のいずれか１項に記載の配線部材の支持構造であって、
前記配線部材は、前記取付対象部材の周囲の少なくとも一部を囲った状態で前記取付対象部材に取付けられるとともに、その外周側に前記電線保持部材が取付けられるベースをさらに含み、
複数の前記電線保持部材のうち少なくとも１つは、前記ベースに形成された被取付部に取付けられるベース取付部をさらに含む、配線部材の支持構造。
【請求項９】
請求項８に記載の配線部材の支持構造であって、
前記ベースは、前記被取付部として、共通して設けられる電線を保持する前記電線保持部材が取付けられる第１被取付部と、オプション用の電線を保持する前記電線保持部材が取付けられる第２被取付部とを含む、配線部材の支持構造。
【請求項１０】
取付対象部材に取付けられる配線部材であって、
複数の電線と、
前記複数の電線を分けて保持する複数の電線保持部材と、
を備え、
前記複数の電線保持部材それぞれは、前記複数の電線のうちの一部の電線を保持する少なくとも１つの電線保持部と、前記少なくとも１つの電線保持部と一体に形成されて前記複数の電線保持部材同士を並列状に連結する連結部とを含み、
前記少なくとも１つの電線保持部それぞれは、前記配線部材が前記取付対象部材に取付けられた際に、自身の保持する電線に対して前記取付対象部材とは反対側に位置する天井壁を有し、
前記複数の電線保持部材は相互に分かれた状態から前記連結部によって連結された状態となることが可能である、配線部材。
【手続補正２】
【補正対象書類名】明細書
【補正対象項目名】０００７
【補正方法】変更
【補正の内容】
【０００７】
また、第１の態様に係る配線部材の支持構造において、前記配線部材は、それぞれが前記電線保持部を少なくとも１つ含むように別に成形された電線保持部材を複数備える。
【手続補正３】
【補正対象書類名】明細書
【補正対象項目名】０００８
【補正方法】変更
【補正の内容】
【０００８】
また、第１の態様に係る配線部材の支持構造において、前記電線保持部材は、前記電線保持部と一体に形成されて前記電線保持部材同士を並列状に連結する連結部をさらに含み、複数の前記電線保持部材は相互に分かれた状態から前記連結部によって連結された状態となることが可能である。
【手続補正４】
【補正対象書類名】明細書
【補正対象項目名】０００９
【補正方法】変更
【補正の内容】
【０００９】
第２の態様に係る配線部材の支持構造は、第１の態様に係る配線部材の支持構造であって、相互に連結された第１及び第２の前記電線保持部材は、少なくとも平坦に並ぶ状態と、前記取付対象部材の外周に沿って並ぶ状態との間で回転可能である。
第３の態様に係る配線部材の支持構造は、第２の態様に係る配線部材の支持構造であって、前記天井壁は外面が平坦な平板状である。
【手続補正５】
【補正対象書類名】明細書
【補正対象項目名】００１０
【補正方法】変更
【補正の内容】
【００１０】
第４の態様に係る配線部材の支持構造は、第２又は第３の態様に係る配線部材の支持構造であって、第１の前記電線保持部材は、前記連結部として軸部を含み、第２の前記電線保持部材は、前記連結部として前記軸部を回転可能に支持する軸受部を含む。
【手続補正６】
【補正対象書類名】明細書
【補正対象項目名】００１１
【補正方法】変更
【補正の内容】
【００１１】
第５の態様に係る配線部材の支持構造は、第２又は第３の態様に係る配線部材の支持構造であって、第１及び第２の前記電線保持部材の少なくとも一方は、前記連結部と前記電線保持部との間に介在するように前記連結部と前記電線保持部と一体に形成され、前記連結部と前記電線保持部とを回転可能につなぐヒンジ部をさらに含む。
【手続補正７】
【補正対象書類名】明細書
【補正対象項目名】００１２
【補正方法】変更
【補正の内容】
【００１２】
第６の態様に係る配線部材の支持構造は、第２又は第３の態様に係る配線部材の支持構造であって、第１の前記電線保持部材は、前記連結部として孔部が形成された被係止部を含み、第２の前記電線保持部材は、前記連結部として前記孔部に通された柱部と前記孔部の周縁部に係止する係止片とを有する係止部を含み、前記孔部が前記柱部よりも大きく形成されて第１及び第２の前記電線保持部材が回転可能に連結している。
【手続補正８】
【補正対象書類名】明細書
【補正対象項目名】００１３
【補正方法】変更
【補正の内容】
【００１３】
第７の態様に係る配線部材の支持構造は、第２から第６のいずれか１つの態様に係る配線部材の支持構造であって、第１及び第２の前記電線保持部材同士の回転量を規制する回転量規制部が設けられている。
【手続補正９】
【補正対象書類名】明細書
【補正対象項目名】００１４
【補正方法】変更
【補正の内容】
【００１４】
第８の態様に係る配線部材の支持構造は、第１から第７のいずれか１つの態様に係る配線部材の支持構造であって、前記配線部材は、前記取付対象部材の周囲の少なくとも一部を囲った状態で前記取付対象部材に取付けられるとともに、その外周側に前記電線保持部材が取付けられるベースをさらに含み、複数の前記電線保持部材のうち少なくとも１つは、前記ベースに形成された被取付部に取付けられるベース取付部をさらに含む。
【手続補正１０】
【補正対象書類名】明細書
【補正対象項目名】００１５
【補正方法】変更
【補正の内容】
【００１５】
第９の態様に係る配線部材の支持構造は、第８の態様に係る配線部材の支持構造であって、前記ベースは、前記被取付部として、共通して設けられる電線を保持する前記電線保持部材が取付けられる第１被取付部と、オプション用の電線を保持する前記電線保持部材が取付けられる第２被取付部とを含む。
【手続補正１１】
【補正対象書類名】明細書
【補正対象項目名】００１６
【補正方法】変更
【補正の内容】
【００１６】
第１０の態様に係る配線部材は、取付対象部材に取付けられる配線部材であって、複数の電線と、前記複数の電線を分けて保持する複数の電線保持部材と、を備え、前記複数の電線保持部材それぞれは、前記複数の電線のうちの一部の電線を保持する少なくとも１つの電線保持部と、前記少なくとも１つの電線保持部と一体に形成されて前記複数の電線保持部材同士を並列状に連結する連結部とを含み、前記少なくとも１つの電線保持部それぞれは、前記配線部材が前記取付対象部材に取付けられた際に、自身の保持する電線に対して前記取付対象部材とは反対側に位置する天井壁を有し、前記複数の電線保持部材は相互に分かれた状態から前記連結部によって連結された状態となることが可能である。
【手続補正１２】
【補正対象書類名】明細書
【補正対象項目名】００１７
【補正方法】削除
【補正の内容】
【手続補正１３】
【補正対象書類名】明細書
【補正対象項目名】００１９
【補正方法】変更
【補正の内容】
【００１９】
各態様によると、電線保持部材の数を変えることで、電線保持部の数の調整が容易となる。
【手続補正１４】
【補正対象書類名】明細書
【補正対象項目名】００２０
【補正方法】変更
【補正の内容】
【００２０】
各態様によると、それぞれ別に形成された複数の電線保持部材を連結部によってつなげることができる。
【手続補正１５】
【補正対象書類名】明細書
【補正対象項目名】００２１
【補正方法】変更
【補正の内容】
【００２１】
第３の態様によると、複数の電線保持部材が連結されていても、取付対象部材の外周に沿って並ぶことができる。これにより、取付対象部材からの配線部材の高さをさらに抑制できる。また複数の電線保持部材が平坦に並ぶ状態で複数の電線保持部材へ電線を保持させる作業を行った後に、複数の電線保持部材を回転させて取付対象部材の周囲を囲んだ状態にすることができる。これにより、複数の電線保持部へ電線を保持させる作業が容易となる。
【手続補正１６】
【補正対象書類名】明細書
【補正対象項目名】００２２
【補正方法】変更
【補正の内容】
【００２２】
第４の態様によると、第１及び第２の電線保持部材が連結部で回転可能となる。
【手続補正１７】
【補正対象書類名】明細書
【補正対象項目名】００２３
【補正方法】変更
【補正の内容】
【００２３】
第５の態様によると、第１及び第２の電線保持部材が連結部とは別に設けられたヒンジ部で回転可能となる。
【手続補正１８】
【補正対象書類名】明細書
【補正対象項目名】００２４
【補正方法】変更
【補正の内容】
【００２４】
第６の態様によると、第１及び第２の電線保持部材が連結部で回転可能となる。
【手続補正１９】
【補正対象書類名】明細書
【補正対象項目名】００２５
【補正方法】変更
【補正の内容】
【００２５】
第７の態様によると、第１及び第２の電線保持部材同士の回転しすぎを抑制できる。
【手続補正２０】
【補正対象書類名】明細書
【補正対象項目名】００２６
【補正方法】変更
【補正の内容】
【００２６】
第８の態様によると、複数の電線保持部材は、ベースに取付けられることによって取付対象部材の周囲に沿うように並んだ状態に維持される。これにより、取付対象部材への配線部材の取付けが容易となる。
【手続補正２１】
【補正対象書類名】明細書
【補正対象項目名】００２７
【補正方法】変更
【補正の内容】
【００２７】
第９の態様によると、共通して設けられる電線とオプション用の電線とを分けて支持することが容易となる。これにより、設計変更などに容易に対応できる。
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】０１２１
【補正方法】変更
【補正の内容】
【０１２１】
本明細書は下記の開示を含む。
第１の態様に係る配線部材の支持構造は、取付対象部材と、複数の電線と、前記複数の電線を分けて保持し、前記電線に対して前記取付対象部材とは反対側に位置する天井壁を有する複数の電線保持部と、を含み、前記取付対象部材に取付けられた配線部材と、を備える。
第２の態様に係る配線部材の支持構造は、第１の態様に係る配線部材の支持構造であって、前記配線部材は、それぞれが前記電線保持部を少なくとも１つ含むように別に成形された電線保持部材を複数備える。
第３の態様に係る配線部材の支持構造は、第２の態様に係る配線部材の支持構造であって、前記電線保持部材は、前記電線保持部と一体に形成されて前記電線保持部材同士を並列状に連結する連結部をさらに含む。
第４の態様に係る配線部材の支持構造は、第３の態様に係る配線部材の支持構造であって、相互に連結された第１及び第２の前記電線保持部材は、少なくとも平坦に並ぶ状態と、前記取付対象部材の外周に沿って並ぶ状態との間で回転可能である。
第５の態様に係る配線部材の支持構造は、第４の態様に係る配線部材の支持構造であって、第１の前記電線保持部材は、前記連結部として軸部を含み、第２の前記電線保持部材は、前記連結部として前記軸部を回転可能に支持する軸受部を含む。
第６の態様に係る配線部材の支持構造は、第４の態様に係る配線部材の支持構造であって、第１及び第２の前記電線保持部材の少なくとも一方は、前記連結部と前記電線保持部との間に介在するように前記連結部と前記電線保持部と一体に形成され、前記連結部と前記電線保持部とを回転可能につなぐヒンジ部をさらに含む。
第７の態様に係る配線部材の支持構造は、第４の態様に係る配線部材の支持構造であって、第１の前記電線保持部材は、前記連結部として孔部が形成された被係止部を含み、第２の前記電線保持部材は、前記連結部として前記孔部に通された柱部と前記孔部の周縁部に係止する係止片とを有する係止部を含み、前記孔部が前記柱部よりも大きく形成されて第１及び第２の前記電線保持部材が回転可能に連結している。
第８の態様に係る配線部材の支持構造は、第４から第７のいずれか１つの態様に係る配線部材の支持構造であって、第１及び第２の前記電線保持部材同士の回転量を規制する回転量規制部が設けられている。
第９の態様に係る配線部材の支持構造は、第２から第８のいずれか１つの態様に係る配線部材の支持構造であって、前記配線部材は、前記取付対象部材の周囲の少なくとも一部を囲った状態で前記取付対象部材に取付けられるとともに、その外周側に前記電線保持部材が取付けられるベースをさらに含み、複数の前記電線保持部材のうち少なくとも１つは、前記ベースに形成された被取付部に取付けられるベース取付部をさらに含む。
第１０の態様に係る配線部材の支持構造は、第９の態様に係る配線部材の支持構造であって、前記ベースは、前記被取付部として、共通して設けられる電線を保持する前記電線保持部材が取付けられる第１被取付部と、オプション用の電線を保持する前記電線保持部材が取付けられる第２被取付部とを含む。
第１１の態様に係る配線部材は、取付対象部材に取付けられる配線部材であって、複数の電線と、前記取付対象部材の周囲の少なくとも一部を囲うように前記取付対象部材に取付けられるベースと、前記複数の電線を分けて保持し、前記ベースの外周側に取付けられ、前記電線に対して前記ベースとは反対側に位置する天井壁を有する複数の電線保持部と、を備える。
第１２の態様に係る配線部材は、取付対象部材に取付けられる配線部材であって、複数の電線と、それぞれが電線の少なくとも一部を保持可能に形成され、前記複数の電線を分けて保持する複数の電線保持部と、を備え、前記複数の電線保持部は、前記電線に対して外周側に天井壁が位置するように前記電線の延在方向と平行な軸回りに相対回転可能につながっている。
各態様によると、天井壁によって取付対象部材から外方への電線の広がりが抑制される。これにより、取付対象部材からの配線部材の高さを抑制できる。
第２の態様によると、電線保持部材の数を変えることで、電線保持部の数の調整が容易となる。
第３の態様によると、それぞれ別に形成された複数の電線保持部材を連結部によってつなげることができる。
第４の態様によると、複数の電線保持部材が連結されていても、取付対象部材の外周に沿って並ぶことができる。これにより、取付対象部材からの配線部材の高さをさらに抑制できる。また複数の電線保持部材が平坦に並ぶ状態で複数の電線保持部材へ電線を保持させる作業を行った後に、複数の電線保持部材を回転させて取付対象部材の周囲を囲んだ状態にすることができる。これにより、複数の電線保持部へ電線を保持させる作業が容易となる。
第５の態様によると、第１及び第２の電線保持部材が連結部で回転可能となる。
第６の態様によると、第１及び第２の電線保持部材が連結部とは別に設けられたヒンジ部で回転可能となる。
第７の態様によると、第１及び第２の電線保持部材が連結部で回転可能となる。
第８の態様によると、第１及び第２の電線保持部材同士の回転しすぎを抑制できる。
第９の態様によると、複数の電線保持部材は、ベースに取付けられることによって取付対象部材の周囲に沿うように並んだ状態に維持される。これにより、取付対象部材への配線部材の取付けが容易となる。
第１０の態様によると、共通して設けられる電線とオプション用の電線とを分けて支持することが容易となる。これにより、設計変更などに容易に対応できる。
第１１の態様によると、取付対象部材に配線部材のベースを取付けることによって、天井壁によって取付対象部材から外方への電線の広がりが抑制された状態をなすことができる。これにより、取付対象部材からの配線部材の高さを抑制できる。
第１２の態様によると、取付対象部材に配線部材を取付ける際に、電線保持部を回転させることによって、電線保持部を取付対象部材の周囲に沿わせて位置させることができる。そして取付対象部材に配線部材を取付けることによって、天井壁によって取付対象部材から外方への電線の広がりが抑制された状態をなすことができる。これらより、取付対象部材からの配線部材の高さを抑制できる。